(57)【要約】      （修正有）【課題】鋼鉄コイルバネより柔らかい反発力を有し、金属や硬質樹脂よりも暖かい手触りを持ち、軽い重量のアイソメトリック運動の補助運動器具である発泡樹脂運動具を提供する。【解決手段】外側は、発泡樹脂の内部気泡の反発力をバネとして利用する発泡樹脂バネ１、軽量木材を使った牽引ロープ３を止めるロープ止め鍔２、両方の握り部分は、終端に起毛終端５を設けた発泡樹脂握り４で、スライド芯８、固定芯９の固い芯材を、柔らかく軽い発泡樹脂の中に埋め込んだことを特徴とする。【選択図】図３
0003191724.tif 000002
【実用新案登録請求の範囲】
【請求項１】
外側は、発泡樹脂の内部気泡の反発力をバネとして利用する発泡樹脂バネ１、軽量木材を使った牽引ロープ３を止めるロープ止め鍔２、両方の握り部分は、終端に起毛終端５を設けた発泡樹脂握り４で、スライド芯８、固定芯９の固い芯材を、柔らかく軽い発泡樹脂の中に埋め込んだ発泡樹脂運動具。
【考案の詳細な説明】
【技術分野】
【０００１】  本考案は、筋肉トレーニングを補助するための運動具に関するものである。
【背景技術】
【０００２】  半世紀以上の昔から、低負荷トレーニングのアイソメトリック運動が、男女の別、年齢を問わずに手軽に継続できる筋肉トレーニング法として知られていて、当時から有名なアイソメトリック運動用補助運動器具が販売されている。又、その運動器具の特許も切れたことで、同様の製品で名称を変えたものが、別の製造業者から販売されてもいる。【０００３】  従来からあるアイソメトリック運動用補助運動器具は、図５に示すように鋼鉄コイルバネ１１を内蔵した金属筒１３と牽引ベルト１２を備えていて引き伸ばし運動と押し縮め運動の２系統の運動を可能にしており、若者には便利な運動器具ではあるが、強力な鋼鉄コイルバネを内蔵しているため、低負荷トレーニングのアイソメトリック運動用補助運動器具といえども、高齢者には不向きな運動器具である。
【考案の概要】
【考案が解決しようとする課題】
【０００４】  人の筋肉は、加齢とともに萎縮してゆき、２０代後半から減少を始め、８０歳までに４０％以上が減少することをサルコペニアというが、このサルコペニアを最小限に抑えて、高齢者が自立して日常生活を送るための必要筋量と筋力を維持するためには、高齢者ほど筋肉トレーニングが必要である。しかし、若者が行うような高負荷強度トレーニングは、高齢者にとっては、整形外科的傷害や循環器系障害の危険性がある。高齢者でも低負荷トレーニングであれば、安全に筋肥大、筋力増強が可能である。アイソメトリック運動は低負荷トレーニングであるが、図５に示す市販されている鋼鉄コイルバネ内蔵型のアイソメトリック運動用補助運動器具は、構造上、高齢者が使用するには、以下の課題がある。
１．鋼鉄コイルバネ１１の反発力は強く、筋肉の萎縮した高齢者が使える物ではない。
２．金属筒１３と硬質樹脂の成型樹脂握り１４からなる外観は、冷たく硬く、冬場は触れられない。
３．重量が重く、足の上に落とした時は、怪我をする可能性がある。
以上の３点を解決し、高齢者でも使える鋼鉄コイルバネより柔らかい反発力、金属や硬質樹脂より暖かい手触り、軽い重量のアイソメトリック運動用補助運動器具を得ることである。
【課題を解決するための手段】
【０００５】  本考案は、従来の鋼鉄コイルバネ内蔵型ではなく、外側は、発泡樹脂の内部気泡の反発力をバネとして利用する発泡樹脂バネ１を使い、牽引ロープ３を止めるロープ止め鍔２には軽量木材を使い、両方の握り部分は、終端に起毛終端５を設けた発泡樹脂握り４にして、スライド芯８、固定芯９の固い芯材は、柔らかく軽い発泡樹脂の中に埋め込んだ発泡樹脂運動具である。
【考案の効果】
【０００６】  本考案の発泡樹脂運動具は、発泡樹脂バネ１による発泡樹脂の気泡中に閉じ込められた空気が圧縮された時に戻ろうとする柔らかい反発力、軽量木材のロープ止め鍔２や発泡樹脂握り４、起毛終端５による温かい手触り、軽い重量を実現し、身体に当たっても痛くない運動具となったことで、高齢者でも、怪我の心配をすることなく、発泡樹脂の気泡中に閉じ込められた空気が圧縮された時に戻ろうとする柔らかい反発力で、整形外科的傷害や循環器系障害などの危険性もない低負荷筋肉トレーニングが可能で高齢者でも筋肥大、筋力増強が可能になり、自立して日常生活を送るための必要筋量と筋力を維持するために効果が大である。
【図面の簡単な説明】
【０００７】
【図１】発泡樹脂運動具の外観斜視図である。
【図２】発泡樹脂運動具の芯材斜視図である。
【図３】発泡樹脂運動具の透視斜視図である。
【図４】発泡樹脂運動具の透視正面図である。
【図５】鋼鉄コイルバネ内蔵型のアイソメトリック運動用補助運動器具の透視正面図である。
【図６】発泡樹脂運動具の圧縮運動図である。
【図７】発泡樹脂運動具の伸張運動図である。
【考案を実施するための形態】
【０００８】  本考案の発泡樹脂運動具は、図３と図４に示すように、円筒形の発泡樹脂バネ１、発泡樹脂握り４の筒心に、スライド芯８より少し大きめの穴を開け、ロープ止め鍔２には、中心部にスライド心８と同じ直径の穴を開け、発泡樹脂バネ１の外輪と同じ位置に牽引ロープ３より少し大きめのロープ通し穴２ａを２連で上下２カ所に開ける。固定芯９の両端にスライド芯８を被せて発泡樹脂バネ１の芯穴に入れ、固定芯止め穴１０を通る固定芯止めピン７を打つ。スライド芯８の両端からロープ止め鍔２を挿し、牽引ロープ３を片側のロープ止め鍔２のロープ通し穴２ａから２条で挿し、向かい側のロープ止め鍔２のロープ通し穴２ａを通し、ロープ縛り具６で縛って止める。牽引ロープ３は上下２カ所に張る。スライド芯８の両端に発泡樹脂握り４を挿し接着固定し、発泡樹脂握り４の終端に起毛終端５を接着固定する。
【実施例】
【０００９】  以下、添付図面に従って実施例を説明する。図１は、発泡樹脂運動具の外観斜視図であり、保管時の状態を示す斜視図である。図２は、発泡樹脂運動具の芯材斜視図であり、発泡樹脂部品の内部に隠れている芯の内部構造を示す斜視図である。図３は、発泡樹脂運動具の透視斜視図であり、組み立てた時の内部構造を示す斜視図である。図４は、発泡樹脂運動具の透視正面図であり、組み立てた時の内部構造を示す正面図である。図５は、鋼鉄コイルバネ内蔵型のアイソメトリック運動器具の透視正面図であり、比較対照のための参考図である。図６は、発泡樹脂運動具の押し縮めの力に対する発泡樹脂バネ１の反発力を示す図であり、圧縮運動図である。図７は、発泡樹脂運動具の引っ張りの力に対する発泡樹脂バネ１の反発力を示す図であり、伸張運動図である。【００１０】  図１は発泡樹脂運動具の外観斜視図であり、保管時の状態を示す斜視図である。保管時は、発泡樹脂バネ１は、外部から力を加えられない状態で牽引ロープ３も同じ状態でつり合っている。発泡樹脂バネ１の左右中心位置には、図２に示す固定芯９を中心位置に保つ固定芯止めピン７がある。左右の握りの部分は、端に起毛終端５を貼った発泡樹脂握り４が付く。【００１１】  図２は、発泡樹脂運動具の芯材斜視図であり、発泡樹脂部品の内部に隠れている芯の内部構造を示す斜視図である。固定芯９は、図１に示す発泡樹脂バネ１の中央に固定芯止め穴１０を通る固定芯止めピン７で固定され、圧縮を受けた際には、固定芯９の左右に被せたスライド芯８が、スライドして伸縮する。図３は、発泡樹脂運動具の透視斜視図であり、組み立てた時の内部構造を示す斜視図である。円筒形の発泡樹脂バネ１、ロープ止め鍔２、発泡樹脂握り４の中心に、固定芯９の両側にスライド芯８を被せた芯材を入れ、２つのロープ止め鍔２の間をロープ通し穴２ａを通した牽引ロープ３で上下２カ所を結びロープ縛り具６で片側を止め、発泡樹脂握り４の両端に起毛終端５を貼った構造である。図４は、発泡樹脂運動具の透視正面図であり、組み立てた時の内部構造を示す透視正面図である。図３に示した構造を透視正面図で表した物である。【００１２】  図５は、鋼鉄コイルバネ内蔵型のアイソメトリック運動用補助運動器具の透視正面図であり、比較対照のための参考図である。金属筒１３に鋼鉄コイルバネ１１を内蔵し成型樹脂握り１４を両端に被せ牽引ベルト１２で両端の成型樹脂握り１４を結んだ構造になっている。金属筒１３は成型樹脂握りの鍔の部分までくらいしか掛かってなく、ほとんど、鋼鉄コイルバネ１１の硬度に頼って直線状を保っている。従って、鋼鉄コイルバネの硬度を落とすと曲がってしまうため、あまり、柔らかい反発力のものは出来ないことが欠点となる。【００１３】  図６は、発泡樹脂運動具の押し縮めの力に対する発泡樹脂バネ１の反発力を示す図であり、圧縮運動図である。発泡樹脂運動具の両端からの押し縮めに対する反発力は、発泡樹脂バネ１の気泡内部に閉じ込められた空気が太矢印で示す押し縮めの力によって圧縮されて戻ろうとする時、点線矢印で示す反発力となる。【００１４】  図７は、発泡樹脂運動具の引っ張りの力に対する発泡樹脂バネ１の反発力を示す図であり、伸張運動図である。発泡樹脂運動具の、２つのロープ止め鍔２の間に止められた２カ所の牽引ロープ３の中央部分を両側に引っ張る力は、発泡樹脂バネ１の押し縮めの力に変換され、図６に示す反発力が働くことになる。
【産業上の利用可能性】
【００１５】  最新の医学では、人の筋肉が加齢とともに萎縮するサルコペニアを最小限に抑えるためには、自立した日常生活を送るため、介護予防のためにも、高齢者ほど、筋肉トレーニングが必要という。しかし、若者向きの高負荷強度トレーニングは、高齢者にとっては、整形外科的傷害や、循環器系障害の危険性がつきまとう。高齢者に合った筋肉トレーニングができる低負荷トレーニングのための運動具が必要である。この発泡樹脂運動具は、高齢者向けに特化して作り上げたもので、高齢者の筋量、筋力維持が可能で介護予防の上で大いに役に立つ。
【符号の説明】
【００１６】１    発泡樹脂バネ
２    ロープ止め鍔
２ａ  ロープ通し穴
３    牽引ロープ
４    発泡樹脂握り
５    起毛終端
６    ロープ縛り具
７    固定芯止めピン
８    スライド芯
９    固定芯
１０  固定芯止め穴
１１  鋼鉄コイルバネ
１２  牽引ベルト
１３  金属筒
１４  成形樹脂握り
【図１】
0003191724.tif 000003
【図２】
0003191724.tif 000004
【図３】
0003191724.tif 000005
【図４】
0003191724.tif 000006
【図５】
0003191724.tif 000007
【図６】
0003191724.tif 000008
【図７】
0003191724.tif 000009
【手続補正書】
【提出日】平成26年4月11日(2014.4.11)
【手続補正１】
【補正対象書類名】実用新案登録請求の範囲
【補正対象項目名】全文
【補正方法】変更
【補正の内容】
【実用新案登録請求の範囲】
【請求項１】
円筒形の発泡樹脂バネ（１）と発泡樹脂握り（４）の筒心に、スライド芯（８）より少し大きめの穴を開け、ロープ止め鍔（２）には、中心部にスライド芯（８）と同じ直径の穴を開け、発泡樹脂バネ（１）の外輪と同じ位置に牽引ロープ（３）より少し大きめのロープ通し穴（２ａ）を２連で上下２カ所に開け、固定芯（９）の両端にスライド芯（８）を被せて発泡樹脂バネ（１）の芯穴に入れ、固定芯止め穴（１０）を通る固定芯止めピン（７）を打ち、スライド芯（８）の両端からロープ止め鍔（２）を挿し、牽引ロープ（３）を片側のロープ止め鍔（２）のロープ通し穴（２ａ）から２条で挿し、向かい側のロープ止め鍔（２）のロープ通し穴（２ａ）に通し、ロープ縛り具（６）で縛って止め、牽引ロープ（３）は上下２カ所に張り、スライド芯（８）の両端に発泡樹脂握り（４）を挿し接着固定し、発泡樹脂握り（４）の終端に起毛終端（５）を接着固定する構造の鋼鉄コイルバネや金属外装を使わない発泡樹脂運動具。